(57)【要約】【課題】下枠の垂れ下がりを防止でき、躯体側への漏水も防止できる下枠および建具の提供。【解決手段】下枠２０は、合成樹脂製であり、上面部２３、下面部２４、屋外面部２５、屋内面部２６で囲まれた中空部２００を有する。中空部２００内に、上面部２３に沿って配置された第１補強材６０と、支点部２４７を介して屋外側端部７１１が上下方向に揺動可能に支持された第２補強材７０とを配置する。第１補強材６０には、上面部２３に形成された穴２３１Ｂから調整ネジ８５がねじ込まれている。調整ネジ８５の先端は、第２補強材７０の支点部２４７よりも屋内側の部分に当接している。第２補強材７０の支点部２４７よりも屋外側の部分は、第１補強材６０の下面に当接し、第１補強材６０は、上面部２３に当接している。【選択図】図３
2018016991.tif 000002
【特許請求の範囲】
【請求項１】
合成樹脂製の下枠であって、
上面部、下面部、屋外面部、屋内面部で囲まれた中空部を有し、
前記中空部内には、前記上面部に沿って配置された第１補強材と、前記第１補強材の下方に配置された第２補強材とが設けられ、
前記第２補強材は、支点部を介して屋外側端部が上下方向に揺動可能に支持されており、
前記第１補強材には、前記上面部に形成された穴から調整ネジがねじ込まれており、
前記調整ネジの先端は、前記第２補強材の前記支点部よりも屋内側の部分に当接され、
前記第２補強材の前記支点部よりも屋外側の部分は、前記第１補強材の下面に当接され、
前記第１補強材は、前記上面部に当接されている
ことを特徴とする下枠。
【請求項２】
請求項１に記載の下枠において、
前記下面部は、前記下枠が取り付けられる躯体の上面に載置される載置部を有し、
前記支点部は、前記載置部に設けられていることを特徴とする下枠。
【請求項３】
請求項１または請求項２に記載の下枠において、
前記第１補強材は、前記上面部からねじ込まれた固定ネジによって前記上面部側に引き寄せられて前記上面部に当接されていることを特徴とする下枠。
【請求項４】
請求項１から請求項３のいずれか一項に記載の下枠において、
前記屋外面部および前記屋内面部には、前記中空部内に突出されたガイド片がそれぞれ形成され、
前記第１補強材の屋外側端部および屋内側端部は、前記上面部と前記ガイド片との間の凹部に配置されていることを特徴とする下枠。
【請求項５】
請求項１から請求項４のいずれか一項に記載の下枠において、
前記上面部には、障子を案内する外レールおよび内レールが設けられ、
前記支点部の見込み方向の位置は、前記外レールと前記内レールとの間であることを特徴とする下枠。
【請求項６】
請求項１から請求項５のいずれか一項に記載の下枠と、上枠と、左右の縦枠とを備えた建具枠と、
前記建具枠内に設けられた障子とを備えることを特徴とする建具。
【発明の詳細な説明】
【技術分野】
【０００１】
本発明は、合成樹脂製の下枠およびこの下枠を用いた建具に関する。
【背景技術】
【０００２】
建具枠に障子を開閉可能に設けた引違い窓等の建具において、建具枠の一部が躯体よりも室外側に配置された半外付けタイプの建具が知られている。
このような建具において、断熱性能を向上させるために、建具枠の各枠を合成樹脂材で形成した場合に、下枠が障子の重量によって垂れ下がることがある。このため、下枠の中空部内に、金属製の補強材を配置したものが知られている（例えば特許文献１の図３）。
【０００３】
特許文献１の図３には、合成樹脂製の下枠が開示され、外レールおよび内レール間に設けられた中空部に金属製の補強材が配置されている。補強材は、下枠の左右両端の開口から中空部内に挿入するため、中空部よりも一回り小さく形成され、中空部内に配置しただけでは、補強材と中空部との間にクリアランス（隙間）が生じる。クリアランスが生じると、クリアランス分だけ下枠が下がってしまう。
このため、特許文献１の図３の構造では、下枠の下面側からネジをねじ込み、補強材の屋内側を下方に引き込み、屋外側を上方に移動して中空部の上面に当接させることで、クリアランスの発生を防止することができる。
【０００４】
ところで、引違い窓では、外レールおよび内レール間には雨水が吹き込むため、レール間から下枠内を通して下枠外に排水する排水経路を設ける必要がある。この際、特許文献１では、下枠の下面側からネジをねじ込んでいるため、補強材が配置された中空部内に水が浸入すると、ネジ部分から躯体側に水が漏水する虞がある。また、ネジ部分からの漏水を防止するために止水処理を行うと、施工作業が煩雑になる。
このため、特許文献１では、補強材が配置される中空部の屋外面部を、外レールよりも屋内側に配置し、屋外面部の外側に排水経路を形成できる構造としていた。
【先行技術文献】
【特許文献】
【０００５】
【特許文献１】特開２０１５−１０４１１号公報
【発明の概要】
【発明が解決しようとする課題】
【０００６】
しかしながら、特許文献１の図３の構造では、補強材が外レールの下方に配置されていないため、外レールに加わる外障子の荷重を補強材で支持することができず、下枠の垂れ下がりを十分に防止できないという課題がある。
【０００７】
本発明は、下枠の垂れ下がりを防止でき、躯体側への漏水も防止できる下枠および建具を提供することにある。
【課題を解決するための手段】
【０００８】
本発明は、合成樹脂製の下枠であって、上面部、下面部、屋外面部、屋内面部で囲まれた中空部を有し、前記中空部内には、前記上面部に沿って配置された第１補強材と、前記第１補強材の下方に配置された第２補強材とが設けられ、前記第２補強材は、支点部を介して屋外側端部が上下方向に揺動可能に支持されており、前記第１補強材には、前記上面部に形成された穴から調整ネジがねじ込まれており、前記調整ネジの先端は、前記第２補強材の前記支点部よりも屋内側の部分に当接され、前記第２補強材の前記支点部よりも屋外側の部分は、前記第１補強材の下面に当接され、前記第１補強材は、前記上面部に当接されていることを特徴とする。
【０００９】
本発明によれば、第２補強材は支点部によって揺動自在に支持されているため、第２補強材の支点部よりも屋内側の位置に調整ネジの先端を当接させて、第２補強材の屋内側端部を下方に移動すると、第２補強材の屋外側端部は上方に移動し、第１補強材の下面に当接する。このため、第１補強材は、下枠の中空部の上面部側に押し付けられる。したがって、上面部および第１補強材はクリアランス無く当接し、第１補強材および第２補強材はクリアランス無く当接し、第２補強材および下面部は支点部においてクリアランス無く当接する。したがって、下枠の中空部内で、下枠、第１補強材、第２補強材の間にはクリアランスが生じないため、クリアランスが存在することによる下枠の垂れ下がりを防止できる。
また、調整ネジは、中空部の上面部から第１補強材にねじ込まれており、下面部を貫通するネジは設けられていないため、中空部を排水経路とした場合に躯体側に漏水が生じることがなく、止水処理を行う必要もないため、施工作業も容易になる。さらに、中空部を排水経路に利用できるため、引違い窓の下枠のように外レールおよび内レールを設けた場合に外レールの位置から内レールの位置まで中空部を形成して第１補強材を配置することができ、各レールに加わる障子の荷重を、第１補強材、第２補強材を介して支持できる。
【００１０】
本発明の下枠において、前記下面部は、前記下枠が取り付けられる躯体の上面に載置される載置部を有し、前記支点部は、前記載置部に設けられていることが好ましい。
【００１１】
本発明によれば、支点部が形成された載置部は、躯体の上面に載置されているので、支点部に加わる荷重を、載置部を介して躯体で支持することができる。このため、支点部が躯体よりも屋外側に設けられている場合に比べて、下枠自体で支持する荷重が小さくなり、下枠の変形等を防止できる。
【００１２】
本発明の下枠において、前記第１補強材は、前記上面部からねじ込まれた固定ネジによって前記上面部に当接されていることが好ましい。
【００１３】
本発明によれば、固定ネジで第１補強材を上面部側に引き寄せることができるので、中空部内に第２補強材を配置する際に、第１補強材が障害となることがなく、第２補強材を容易に配置することができる。また、固定ネジによって第１補強材が下枠の中空部内を移動することも規制でき、中空部内に第２補強材を配置する際に、作業者が第１補強材の移動を規制する必要もない。したがって、下枠の組立作業性を向上できる。
【００１４】
本発明の下枠において、前記屋外面部および前記屋内面部には、前記中空部内に突出されたガイド片がそれぞれ形成され、前記第１補強材の屋外側端部および屋内側端部は、前記上面部と前記ガイド片との間の凹部に配置されていることが好ましい。
【００１５】
本発明によれば、下枠の上面部とガイド片との間の凹部に第１補強材の屋内外の端部を配置しているので、固定ネジを用いずに、第１補強材を上面部に沿って配置することができる。また、固定ネジを用いる場合も、予め第１補強材を上面部に沿って配置された状態からねじ込むことができ、作業性を向上できる。
【００１６】
本発明の下枠において、前記上面部には、障子を案内する外レールおよび内レールが設けられ、前記支点部の見込み方向の位置は、前記外レールと前記内レールとの間であることが好ましい。
【００１７】
本発明によれば、外レールに加わる外障子の荷重は、第１補強材を介して、第２補強材の支点部よりも屋外側の部分に加わる。内レールに加わる内障子の荷重は、第１補強材から調整ネジを介して、第２補強材の支点部よりも屋内側の部分に加わる。このため、外障子によって第１補強材から第２補強材に加わる荷重と、内障子によって第１補強材から調整ネジを介して第２補強材に加わる荷重とを対抗させることができ、調整ネジが浮き上がることもなく、下枠の垂れ下がりを確実に防止できる。
【００１８】
本発明の建具は、前記下枠と、上枠と、左右の縦枠とを備えた建具枠と、前記建具枠内に設けられた障子とを備えることを特徴とする。
【００１９】
本発明によれば、前記下枠を備えているので、半外付けの建具においても、下枠の垂れ下がりを防止でき、躯体側への漏水を防止できる。
【発明の効果】
【００２０】
本発明の下枠および建具によれば、下枠の垂れ下がりを防止でき、躯体側への漏水も防止できる。
【図面の簡単な説明】
【００２１】
【図１】本発明の実施形態に係る引違い窓の内観姿図。
【図２】前記引違い窓の縦断面図。
【図３】前記引違い窓の下枠の縦断面図。
【図４】前記引違い窓の下枠の垂れ下がり調整前の状態を示す縦断面図。
【発明を実施するための形態】
【００２２】
以下、本発明の実施形態を図面に基づいて説明する。
本実施形態は、図１、２に示すように、引違い窓１を樹脂製建具として構成したものである。引違い窓１は、建具枠である窓枠２と、外障子３および内障子４とを備えて構成されている。なお、図２においては、図を見やすくするためにハッチングを省略している。
【００２３】
窓枠２は、上枠１０、下枠２０および左右の縦枠３０，４０を備えて構成される。窓枠２は、建物の開口部に配置されて建物の躯体６に固定されている。
なお、以下の説明において、引違い窓１の屋内外方向を見込み方向とし、図１における引違い窓１の左右方向（外障子３、内障子４の移動方向）を、上枠１０、下枠２０の長手方向とする。
【００２４】
上枠１０、下枠２０、縦枠３０、４０は、合成樹脂製の押出形材で構成された樹脂枠である。
上枠１０および下枠２０には、屋外側の外障子３を案内する外レール１１、２１と、屋内側の内障子４を案内する内レール１２、２２とが形成されている。
【００２５】
外障子３、内障子４は、合成樹脂製の框材を枠組みして複層ガラスを保持した公知の障子であるため、説明を省略する。
【００２６】
［下枠］
次に、本発明の特徴である下枠２０について、図２および下枠２０を拡大した図３、４を参照して説明する。なお、図３、４では、断面部分をハッチングで示している。また、図３は、下枠２０の垂れ下がりの調整後の状態を示し、図４はその調整前の状態を示す。
下枠２０は、外レール２１と、内レール２２と、上面部２３と、下面部２４と、屋外面部２５と、屋内面部２６と、屋外見付け面部２７と、屋内見付け面部２８と、取付片部２９とを備えて構成されている。
下枠２０には、前記上面部２３と、屋外面部２５と、下面部２４と、屋内面部２６とで囲まれた中空部２００が形成されている。
【００２７】
外レール２１、内レール２２は、上面部２３から上方に突設されており、それぞれ屋外面部２１１、２２１と、屋内面部２１２、２２２と、連結片部２１３、２２３とを備えている。
屋外面部２１１、２２１と、屋内面部２１２、２２２の上端側は、連結片部２１３、２２３よりも上方に延長されている。屋外面部２１１、２２１の上端部は、屋内側に突出し、屋内面部２１２、２２２の上端部は、屋外側に突出している。このため、外レール２１および内レール２２の上部には、上面側が開口する溝部２１４、２２４が形成されている。溝部２１４、２２４には、金属製のレール部材２１５、２２５が嵌合されている。
【００２８】
上面部２３は、外レール２１の屋内面部２１２と、内レール２２の屋外面部２２１間に設けられた第１上面部２３１と、外レール２１の屋外面部２１１および屋内面部２１２間に設けられた第２上面部２３２と、内レール２２の屋外面部２２１および屋内面部２２２間に設けられた第３上面部２３３と、外レール２１の屋外面部２１１と屋外見付け面部２７との間に設けられた第４上面部２３４と、内レール２２の屋内面部２２２と屋内見付け面部２８との間に設けられた第５上面部２３５とを備えている。
第１上面部２３１および第４上面部２３４は、屋外側に向かって低くなるように傾斜されて所定の水勾配が設定されている。
第２上面部２３２および第３上面部２３３の厚さ寸法は、第１上面部２３１、第４上面部２３４、第５上面部２３５の厚さ寸法よりも小さくされている。
【００２９】
屋外面部２５および屋内面部２６は、上面部２３および下面部２４間に設けられている。屋外面部２５は、外レール２１の屋外面部２１１の下方の位置から連続して形成され、屋内面部２６は、内レール２２の屋内面部２２２の下方の位置から連続して形成されている。すなわち、下枠２０の見込み方向において、屋外面部２１１と屋外面部２５とは同じ位置に配置され、屋内面部２２２と屋内面部２６とは同じ位置に配置されている。
屋外面部２５の屋内面には、ガイド片２５１が中空部２００側（屋内側）に突設されている。屋内面部２６の屋外面には、ガイド片２６１が中空部２００側（屋外側）に突設されている。
【００３０】
屋外見付け面部２７は、上面部２３および下面部２４の屋外側端部間を連結しており、さらに、上面部２３よりも上方に突出した網戸レール部２７１を備えている。
取付片部２９は、下面部２４において、見込み方向の位置が外レール２１および内レール２２間となる中間位置から下方に突設されている。取付片部２９は、図２に示すように、躯体６の屋外面に当接されてネジ５１で躯体６に固定されている。
【００３１】
下面部２４は、図３に示すように、屋外面部２５と取付片部２９との間に設けられた第１下面部２４１と、第１下面部２４１の屋内端部から上方に突出された第２下面部２４２と、第２下面部２４２の上端と屋内面部２６との間に設けられた第３下面部２４３と、屋外面部２５と屋外見付け面部２７との間に設けられた第４下面部２４４と、屋内面部２６と屋内見付け面部２８との間に設けられた第５下面部２４５とを備えている。
第３下面部２４３の屋外側端部近傍には、上方に突出し、下枠２０の長手方向の全長に渡って形成された突条部からなる支点部２４７が設けられている。支点部２４７の見込み方向の位置は、外レール２１および内レール２２の間に設定されている。
図２に示すように、第３下面部２４３および第５下面部２４５は、躯体６の上面に載置されているため、載置部を構成する。
【００３２】
屋内見付け面部２８は、図３に示すように、上面部２３および下面部２４の屋内側端部間を連結する連結片部２８１と、上面部２３の屋内側端部から上方に突出する第１突出片２８２と、第１突出片２８２の屋外側に平行に配置された第２突出片２８３と、第２突出片２８３および第１突出片２８２の上端間を連結し、さらに屋内側に突出された被覆部２８４と、連結片部２８１の下端部から屋内側に突出された取付片部２８５とを備えている。
取付片部２８５には、図２、３に示すように、躯体６にねじ込まれるネジ５２が挿通され、被覆部２８４には、額縁７にねじ込まれるネジ５３が挿通されている。
【００３３】
中空部２００内には、第１補強材６０と第２補強材７０とが配置されている。
第１補強材６０は、金属製の板材であり、下枠２０の長手方向の略全長に渡って配置されている。第１補強材６０は、第１上面部２３１、第２上面部２３２、第３上面部２３３の下面に沿って配置され、その屋外側端部６１は、ガイド片２５１と第２上面部２３２との間の凹部に配置され、屋内側端部６２は、ガイド片２６１と第３上面部２３３との間の凹部に配置されている。
また、第１補強材６０には、第１上面部２３１に形成された穴２３１Ａに対応する位置にネジ孔が形成されており、このネジ孔に固定ネジ８１がねじ込まれている。固定ネジ８１は、下枠２０の長手方向の複数箇所で第１補強材６０にねじ込まれている。例えば、固定ネジ８１は、第１補強材６０の左右両端部（縦枠３０，４０の近傍）の２箇所で第１補強材６０にねじ込まれている。
固定ネジ８１を第１補強材６０にねじ込むことで、第１補強材６０は、上面部２３側に引き寄せられて、第１上面部２３１に密着している。さらに、第１補強材６０の長手方向の位置も、固定ネジ８１によって固定され、第１補強材６０が長手方向に移動することも防止している。
【００３４】
第１補強材６０には、さらに、第１上面部２３１に形成された穴２３１Ｂから調整ネジ８５がねじ込まれている。穴２３１Ｂは、調整ネジ８５の雄ネジ外径よりも大きく、調整ネジ８５の頭部の外径よりも小さな直径とされている。
穴２３１Ｂに挿入された調整ネジ８５は、第１補強材６０に予め形成されたネジ孔に螺合され、その先端は第１補強材６０を貫通して下方に突出している。このため、第１補強材６０に対して調整ネジ８５をねじ込むと、調整ネジ８５の先端（下端）が下方に移動し、調整ネジ８５を緩めると、調整ネジ８５の先端は上方に移動する。調整ネジ８５の数および配置位置は、第１補強材６０の長手寸法、つまり下枠２０の長手方向の寸法に応じて設定され、本実施形態では、下枠２０および第１補強材６０の各端部近傍の２箇所と、長手方向の中央位置の１箇所と、中央位置および各端部間の中間位置の２箇所との計５箇所に調整ネジ８５を配置している。下枠２０の長さ寸法が本実施形態よりも短い場合は、調整ネジ８５の本数を少なくすればよく、長さ寸法が長くなれば本数を多くすればよい。
【００３５】
第２補強材７０は、金属製の板材を折曲して形成されており、第１補強材６０と同様に、下枠２０の全長に渡って配置されている。第２補強材７０は、板状の当接部７１と、当接部７１の屋外側端部から下方に折曲された折曲部７２と、折曲部７２の下端部から屋内側に折り返された折返し部７３とを備えており、板材をプレス加工などで折り曲げることで形成されたものである。
当接部７１の見込み寸法は、屋外面部２５および屋内面部２６間の見込み寸法よりも短くされ、かつ、第１下面部２４１の見込み寸法よりも長くされている。このため、当接部７１は、見込み方向において、第１下面部２４１および第３下面部２４３に跨がって配置されている。
また、折曲部７２の高さ寸法、具体的には当接部７１の下面から折返し部７３の下面までの高さ寸法は、第１下面部２４１の上面から支点部２４７の上面までの高さ寸法と略同じ寸法とされている。
さらに、折返し部７３の見込み寸法は、第１下面部２４１の見込み寸法よりも短くされ、折返し部７３は、屋外面部２５および第２下面部２４２間に配置されている。
したがって、第２補強材７０は、中空部２００の断面形状に合わせて形成されており、図４に示すように、第１補強材６０が上面部２３側に引き寄せられた状態であれば、中空部２００の端面開口から容易に挿入できる。例えば、第２補強材７０は、当接部７１を支点部２４７上に当接させ、折返し部７３を第１下面部２４１に当接させた状態で、中空部２００内をスムーズにスライド移動させることができる。
【００３６】
第２補強材７０の当接部７１の下面は、支点部２４７に当接している。図４に示すように、当接部７１が水平状態で配置されている場合には、支点部２４７よりも屋外側の部分（当接部７１の屋外側端部７１１）は第１補強材６０の下方に離れて配置され、支点部２４７よりも屋内側の部分（当接部７１の屋内側端部７１２）は第３下面部２４３の上方に離れて配置されている。したがって、第２補強材７０は、支点部２４７によって、屋外側端部７１１が上下方向に揺動可能に支持されている。
【００３７】
そして、図３に示すように、調整ネジ８５をねじ込んで下方に移動すると、調整ネジ８５の先端が第２補強材７０の支点部２４７よりも屋内側の部分に当接し、屋内側端部７１２を下方（第３下面部２４３側）に移動する。すると、第２補強材７０の屋外側端部７１１は上方（第１補強材６０側）に移動して第１補強材６０の下面に当接する。すなわち、第２補強材７０は、支点部２４７を支点に、屋外側端部７１１が上方、屋内側端部７１２が下方に回転する。
このため、第１補強材６０は上面部２３側に押され、上面部２３および第１補強材６０はクリアランス無しで当接し、第１補強材６０および第２補強材７０はクリアランス無しで当接し、第２補強材７０および支点部２４７はクリアランス無しで当接している。
したがって、外障子３、内障子４を設置した際に、外レール２１に加わる外障子３の荷重は、上面部２３、第１補強材６０、第２補強材７０、支点部２４７および第３下面部２４３を介して躯体６に支持される。
下枠２０の上面部２３と、第１補強材６０と、第２補強材７０と、下面部２４とは、クリアランス無しで当接しているので、下枠２０の屋外側が、外障子３の荷重によって、クリアランス分だけ下方に下がることが防止されている。
【００３８】
また、外障子３から外レール２１に加わる荷重は、第２補強材７０の屋外側端部７１１を下方に押す方向に加わり、屋内側端部７１２は上方に移動しようとする。この屋内側端部７１２の上方への移動は、第２補強材７０に当接している調整ネジ８５で規制される。
さらに、内障子４から内レール２２にも荷重が加わり、この荷重は第１補強材６０の屋内側端部を下方に押す方向に加わり、内レール２２の近傍で第１補強材６０に螺合されている調整ネジ８５も下方に移動しようとする。したがって、外障子３、内障子４を設置すれば、外障子３の荷重によって第２補強材７０の屋内側端部７１２を上方に回転させる力と、内障子４の荷重によって調整ネジ８５を下方に移動させる力とが均衡し、外障子３の荷重による下枠２０の屋外側の下がりを防止できる。
【００３９】
なお、第２補強材７０が第１補強材６０に当接した際に、第２補強材７０の屋内側端部７１２が上面部２３に当接していない場合は、調整ネジ８５を更にねじ込むことで、屋外側端部７１１を上方に移動できる。したがって、屋外側端部７１１の上方への移動量は、屋内側端部７１２が上面部２３に当接した時点で最大となる。
したがって、外障子３、内障子４を設置した状態では、第２補強材７０が第１補強材６０に当接した位置から、第２補強材７０が第３下面部２４３に当接した位置までの範囲で調整ネジ８５を移動させることで、下枠２０の屋外側の垂れ下がりに対する調整量を設定できる。
【００４０】
なお、図２〜４では、外レール２１および内レール２２間には、固定ネジ８１、調整ネジ８５が露出しているが、屋外面部２２１の屋外面に形成された突起などを用いてカバー部材を着脱自在に取り付けて、固定ネジ８１、調整ネジ８５を被覆してもよい。
【００４１】
［本実施形態の効果］
（１）下枠２０の中空部２００内に、第１補強材６０、第２補強材７０の２つの補強材を配置し、第１補強材６０は上面部２３に当接させ、第２補強材７０は支点部２４７で支持し、調整ネジ８５で第２補強材７０を回転させて第１補強材６０に当接させているので、中空部２００内で第１補強材６０、第２補強材７０と、上面部２３、下面部２４との間にクリアランスが生じない。このため、クリアランス分だけ下枠２０が下がることもなく、下枠２０の下がりを防止できる。
【００４２】
（２）調整ネジ８５や固定ネジ８１は、上面部２３を貫通して第１補強材６０にねじ込まれており、下面部２４に穴を設ける必要が無い。このため、第１上面部２３１に流れ込んだ雨水を、中空部２００を介して屋外側に排水する場合に、中空部２００から躯体６側に漏水することがない。したがって、止水処理を行う必要もなく、下枠２０の施工作業も容易になる。
また、第１補強材６０、第２補強材７０を配置するための中空部２００と、排水経路用の中空部とを別々に区画する必要が無い。このため、中空部２００を外レール２１の下方の位置まで設けることができ、第１補強材６０、第２補強材７０も外レール２１の下方の位置に配置でき、外レール２１に加わる外障子３の荷重を、第１補強材６０、第２補強材７０で支持できる。
【００４３】
（３）第１補強材６０は板状に形成されており、下枠２０の上面部２３に広い面積で当接するため、外障子３の荷重も第１補強材６０全体の面で受けることができる。このため、下枠２０の上面部２３において一部分に荷重が集中して上面部２３の一部が凹むなどの変形が生じることを防止できる。
なお、第１補強材６０と第２補強材７０とは線接触であるが、金属材同士の接触であるため、変形なども防止できる。
【００４４】
（４）第２補強材７０が当接する支点部２４７は、躯体６の上面に載置される載置部である第３下面部２４３に形成されているので、支点部２４７に加わる力は、第３下面部２４３を介して躯体６で支持できる。したがって、支点部が躯体６の屋外側に設けられる場合は、下枠２０の躯体６よりも屋外側を下げる方向に力が加わり、取付片部２９のネジ５１に剪断力が加わるため、取付片部２９やネジ５１の剛性を向上させるなどの対策が必要となる。これに対し、本実施形態では、支点部２４７に加わる力を躯体６で支持でき、ネジ５１には伝達されないので、取付片部２９やネジ５１の剛性向上が不要にできる。
また、第２補強材７０から支点部２４７に力が加わった場合、支点部２４７は圧縮されるため、突条に形成されていても変形することがなく、荷重を支持できる。
【００４５】
（５）外障子３によって第１補強材６０から第２補強材７０に加わる荷重と、内障子４によって第１補強材６０から調整ネジ８５を介して第２補強材７０に加わる荷重とを対抗させることができるため、調整ネジ８５が浮き上がることもなく、下枠２０の下がりを確実に防止できる。
【００４６】
（６）固定ネジ８１を設けているので、第１補強材６０を確実に上面部２３側に引き寄せることができ、かつ、下枠２０に対する第１補強材６０の長手方向の位置を固定できる。したがって、ガイド片２５１、２６１や、第１補強材６０の寸法誤差によって、第１補強材６０をガイド片２５１やガイド片２６１で保持できない場合でも、固定ネジ８１によって第１補強材６０を確実に保持できる。
そして、第１補強材６０を上面部２３側に引き寄せることができるため、中空部２００内に第２補強材７０を配置する際に、第１補強材６０が障害となることがなく、第２補強材７０を容易に配置することができる。
また、固定ネジ８１によって第１補強材６０が中空部２００内をスライド移動することも規制できるため、第２補強材７０を中空部２００内に配置する際に、第１補強材６０の移動を作業者が規制する必要がない。したがって、下枠２０の組立作業性を向上できる。
【００４７】
（７）第２補強材７０は、当接部７１、折曲部７２、折返し部７３を備えて折曲されているため、第２補強材７０を平板状に形成した場合に比べて、剛性を向上することができる。このため、第２補強材７０の厚さ寸法を小さくでき、軽量化することもできる。
【００４８】
（８）調整ネジ８５のねじ込み量によって、第２補強材７０の回転量、つまり屋外側端部７１１の上下方向の移動量を調整できるので、下枠２０の下がり量に対して容易に調整することができる。さらに、調整ネジ８５の頭部が上面部２３の上に露出するため、調整ネジ８５のねじ込み操作も容易に行うことができ、仮に施工後に下枠２０の下がりが生じた場合でも、調整ネジ８５を再度調整することで、下枠２０の下がりを簡単な作業で直すことができる。
【００４９】
（９）外レール２１、内レール２２の下方に屋外面部２５および屋内面部２６が設けられているので、各レール２１，２２に加わる荷重を屋外面部２５、屋内面部２６を介しても支持できる。
【００５０】
［変形例］
なお、本発明は以上の実施形態で説明した構成のものに限定されず、本発明の目的を達成できる範囲での変形例は、本発明に含まれる。
例えば、前記実施形態では、固定ネジ８１を設けていたが、固定ネジ８１は必ずしも設けなくてもよい。すなわち、第１補強材６０はガイド片２５１、２６１等で上面部２３側に保持でき、調整ネジ８５を第１補強材６０にねじ込むことで、第１補強材６０の下枠２０に対する長手方向の位置も規制できるためである。この場合、調整ネジ８５をねじ込んで第２補強材７０に当接させ、第２補強材７０の屋内側端部７１２が第３下面部２４３に当接している状態でさらに調整ネジ８５をねじ込めば、第１補強材６０を上面部２３側に引き寄せて当接させることができる。
【００５１】
前記実施形態では、第２補強材７０が当接する支点部２４７を、躯体６の上方位置、つまり下枠２０の見込み方向において、躯体６の屋外面よりも屋内側の位置に形成していたが、例えば、第２下面部２４２の上端等の躯体６よりも屋外側に形成してもよい。
また、支点部２４７は、下枠２０に形成していたが、第２補強材７０側に形成してもよい。すなわち、第２補強材７０の当接部７１の下面に突起を設けて支点部とすればよい。
さらに、下枠２０および第２補強材７０の間に、支点部が形成された別体の支点部材を設けてもよい。支点部材としては、例えば、第３下面部２４３の上面に載置される金属製プレートで構成し、金属製プレートの上面に突条の支点部を形成しておけばよい。なお、金属製プレートの屋内側端部を上方に折り曲げて立ち上がり部を形成し、この立ち上がり部を、当接部７１の屋内側端部７１２と屋内面部２６との間に配置することなどで、支点部材が見込み方向に移動しないように設置することが好ましい。
【００５２】
前記実施形態では、固定ネジ８１や調整ネジ８５は、第１上面部２３１に配置されていたが、例えば、下枠２０の中空部２００を屋内見付け面部２８まで延長し、第１補強材６０や第２補強材７０の見込み寸法を、第５上面部２３５の下方位置に達する長さとし、第５上面部２３５の位置で、固定ネジ８１や調整ネジ８５をねじ込むようにしてもよい。
この場合、支点部２４７から調整ネジ８５が当接する力点を離すことができ、力点に加える力を小さくできる。
【００５３】
第２補強材７０は、前記実施形態に限定されず、例えば、当接部７１および折曲部７２で構成された断面Ｌ字状の不等辺アングル材で構成してもよいし、第１補強材６０と同様に平板プレートで構成してもよい。
また、第１補強材６０および第２補強材７０は、下枠２０の長手方向の寸法と同程度の長さ寸法を有するものに限定されず、例えば、下枠２０の長手寸法の約１／２のものを２つずつ用意し、中空部２００の左右両端の開口からそれぞれ挿入してもよい。なお、第１補強材６０は、外レール２１、内レール２２に加わる外障子３、内障子４の荷重を支持するため、設置枚数に関わらず、下枠２０の長手方向のほぼ全長に渡って配置されていることが好ましい。
また、第２補強材７０は、第１補強材６０と同様に、下枠２０の長手方向のほぼ全長に渡って配置されていることが好ましいが、下枠２０の長手方向に沿って間隔を空けて複数配置してもよい。
【００５４】
前記実施形態では、屋外面部２５および屋内面部２６にガイド片２５１、２６１を形成し、第１補強材６０の屋外側端部６１、屋内側端部６２を保持していたが、固定ネジ８１で第１補強材６０を上面部２３側に引き寄せることができる場合には、一対のガイド片２５１、２６１を形成しなくてもよい。
【００５５】
本発明の下枠を用いる建具としては、引違い窓に限定されず、片引き窓、ＦＩＸ窓、引違いテラス戸等の各種建具に利用でき、特に、半外付けの建具であって、下枠の屋外側が障子の荷重などで下がる可能性がある建具に適している。
【符号の説明】
【００５６】
１…引違い窓（建具）、２…窓枠（建具枠）、３…外障子、４…内障子、６…躯体、１０…上枠、１１…外レール、１２…内レール、２０…下枠、２１…外レール、２２…内レール、２３…上面部、２４…下面部、２５…屋外面部、２６…屋内面部、３０、４０…縦枠、６０…第１補強材、６１…屋外側端部、６２…屋内側端部、７０…第２補強材、８１…固定ネジ、８５…調整ネジ、２００…中空部、２３１…第１上面部、２３１Ｂ…穴、２４１…第１下面部、２４３…第３下面部、２４７…支点部、２５１、２６１…ガイド片。
【図１】
2018016991.tif 000003
【図２】
2018016991.tif 000004
【図３】
2018016991.tif 000005
【図４】
2018016991.tif 000006